【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
受動光網を介して接続される局側装置（ＯＬＴ）と複数の加入者接続装置（ＯＮＵ）とを備え、上記局側装置が通信網を介してフレーム転送装置に接続されているＰＯＮシステムであって、
上記局側装置が、
上記フレーム転送装置の複数の出力ポートのそれぞれを特定する出力ポート番号と、上記複数の加入者接続装置のうち、上記フレーム転送装置の出力ポート番号のそれぞれで特定される上記フレーム転送装置の出力ポートを使用する加入者接続装置の識別子との対応関係を保持し、
上記複数の加入者接続装置のそれぞれから上記局側装置に送信された上りフレームにおいて通知される帯域要求に基づいて、上記複数の加入者接続装置のそれぞれに上りフレーム送信帯域を割り当てる局側装置制御部と、
上記局側装置制御部において上記複数の加入者接続装置のそれぞれに割り当てられた上記上りフレーム送信帯域を通知する下りフレームを生成する下りフレーム生成部とを備え、
上記局側装置制御部が、上記フレーム転送装置の何れかの出力ポートが輻輳状態になり、上記フレーム転送装置から通知される輻輳発生通知を受信した場合に、該輻輳発生通知に含まれる該輻輳状態となっている上記フレーム転送装置の出力ポートを特定する出力ポート番号と上記対応関係とから、上記輻輳状態の出力ポートを使用する加入者接続装置の識別子を特定し、上記特定された識別子に対応する加入者接続装置には、上記輻輳状態である出力回線が輻輳状態でない場合よりも少ない上記上りフレーム送信帯域を割り当てることを特徴とするＰＯＮシステム。
【請求項２】
前記局側装置制御部が、前記輻輳発生通知を受信した場合に、前記特定された加入者接続装置以外の他の加入者接続装置には、上記特定された加入者接続装置の使用する上記フレーム転送装置の出力ポートが輻輳状態でない場合よりも前記上りフレーム送信帯域を多く割り当てることを特徴とする請求項１に記載のＰＯＮシステム。
【請求項３】
前記局側装置制御部が、前記特定した加入者接続装置が使用する出力ポートの輻輳状態が解消した場合に、前記フレーム転送装置から該輻輳状態が解消した出力ポートを特定する出力ポート番号を含む輻輳解除通知を受信し、前記対応関係に基づいて、上記輻輳解除通知に含まれる出力ポート番号を使用する加入者接続装置の識別子を特定し、該特定された識別子に対応する加入者接続装置に、該出力ポートが輻輳状態の場合よりも前記上りフレーム送信帯域を多く割り当てることを特徴とする請求項１に記載のＰＯＮシステム。
【請求項４】
前記局側装置制御部が、
前記複数の加入者接続装置のそれぞれの識別子と対応して、識別子で特定される加入者接続装置が使用する前記フレーム転送装置の出力ポートが輻輳中であるか否かを示す輻輳フラグを記憶し、
上記複数の加入者接続装置のうちの何れかの加入者接続装置の上記輻輳フラグが輻輳中であることを示している場合、上記輻輳フラグが上記輻輳中であることを示している識別子に対応する加入者接続装置には、該加入者接続装置の使用するフレーム転送装置の出力ポートが輻輳中でない場合より前記上りフレーム送信帯域を少なく割り当て、上記輻輳フラグが上記輻輳中でないことを示している識別子に対応する加入者接続装置には、上記輻輳中を示す加入者接続装置が存在しない場合より前記上りフレーム送信帯域を多く割り当てることを特徴とする請求項１に記載のＰＯＮシステム。
【請求項５】
前記フレーム転送装置から前記輻輳発生通知を受信した場合に、上記輻輳発生通知に含まれる出力ポート番号によって特定される加入者接続装置の識別子と対応する前記輻輳フラグを輻輳中に切り替え、輻輳解除通知を受信した場合に、該輻輳解除通知に含まれる出力ポート番号によって特定される加入者接続装置の識別子の前記輻輳フラグを輻輳中でないことを示すフラグに変更することを特徴とする請求項４に記載のＰＯＮシステム。
【請求項６】
前記輻輳状態である出力ポートを使用中であると特定された加入者接続装置に割り当てるべき固定帯域を記憶し、上記輻輳状態である出力ポートを使用中であると特定された加入者接続装置には、上記固定帯域を割り当てることを特徴とする請求項４に記載のＰＯＮシステム。
【請求項７】
前記輻輳発生通知は、前記フレーム転送装置において特定の出力ポートの前記上りフレームの送信帯域が所定の閾値を超えた場合に、上記フレーム転送装置から前記局側装置に通知されることを特徴とする請求項１に記載のＰＯＮシステム。
【請求項８】
前記輻輳解除通知は、前記フレーム転送装置において特定された輻輳状態の出力ポートの前記上りフレームの送信帯域が前記所定の閾値以下となった場合に、上記フレーム転送装置から前記局側装置に通知されることを特徴とする請求項１に記載のＰＯＮシステム。
【請求項９】
前記局側装置制御部が、
前記下りフレーム生成部による下りフレームの生成周期よりも長い周期で、前記複数の加入者接続装置のそれぞれへの前記上りフレーム送信帯域の帯域割当量計算処理を行い、
前記特定された加入者接続装置以外の他の加入者接続装置には、前記上りフレーム送信帯域の上記帯域割当量計算処理の次回の帯域割当量計算処理時以降に、上記特定された加入者接続装置の使用する前記フレーム転送装置の出力ポートが輻輳状態でない場合よりも前記上りフレーム送信帯域を多く割り当てることを特徴とする請求項２に記載のＰＯＮシステム。
【請求項１０】
前記局側装置制御部が、
前記下りフレーム生成部による下りフレームの生成周期よりも長い周期で、前記複数の加入者接続装置のそれぞれへの前記上りフレーム送信帯域の帯域割当量計算処理を行い、
前記フレーム転送装置から前記輻輳解除通知を受信した場合に、前記対応関係に基づいて、該輻輳解除通知に含まれる出力ポート番号に対応する加入者接続装置の識別子を特定しておき、前記上りフレーム送信帯域の上記帯域割当量計算処理の次回の帯域割当量計算処理時に、上記特定された加入者接続装置の識別子と対応する上記輻輳フラグを輻輳中でないことを示すフラグに変更することを特徴とする請求項４に記載のＰＯＮシステム。
【請求項１１】
受動光網を介して複数の加入者接続装置に接続され、更に通信網を介してフレーム転送装置に接続された局側装置であって、
上記フレーム転送装置の複数の出力ポートのそれぞれを特定する出力ポート番号と、上記複数の加入者接続装置のうち、上記フレーム転送装置の出力ポート番号で特定される上記フレーム転送装置の出力ポートを使用する加入者接続装置の識別子との対応関係を保持し、上記複数の加入者接続装置のそれぞれから送信された上りフレームにおいて通知される帯域要求に基づいて、上記複数の加入者接続装置のそれぞれに上りフレーム送信帯域を割り当てる制御部と、
上記制御部において上記複数の加入者接続装置のそれぞれに割り当てられた上記上りフレーム送信帯域を通知する下りフレームを生成する下りフレーム生成部とを備え、
上記制御部は、上記フレーム転送装置の何れかの出力ポートが輻輳状態になり、上記フレーム転送装置から通知される輻輳発生通知を受信した場合に、該輻輳発生通知に含まれる該輻輳状態となっている上記フレーム転送装置の出力ポートを特定する出力ポート番号と上記対応関係とから、上記輻輳状態の出力ポートを使用する加入者接続装置の識別子を特定し、上記特定された加入者接続装置に対応する加入者接続装置には、上記輻輳状態である出力ポートが輻輳状態でない場合よりも少ない上記上りフレーム送信帯域を割り当てることを特徴とする局側装置。
【請求項１２】
前記制御部は、前記輻輳発生通知を受信した場合に特定された加入者接続装置以外の他の加入者接続装置には、上記特定された加入者接続装置の使用する前記フレーム転送装置の出力ポートが輻輳状態でない場合よりも前記上りフレーム送信帯域を多く割り当てることを特徴とする請求項１１に記載の局側装置。
【請求項１３】
前記制御部は、前記特定した加入者接続装置が使用する出力ポートの輻輳状態が解消した場合に、前記フレーム転送装置から該輻輳状態が解消した出力回線を特定する出力ポート番号を含む輻輳解除通知を受信し、前記対応関係に基づいて、上記輻輳解除通知に含まれる出力ポート番号を使用する加入者接続装置の識別子を特定し、該特定された識別子に対応する加入者接続装置に、該出力ポートが輻輳状態の場合よりも前記上りフレーム送信帯域を多く割り当てることを特徴とする請求項１１に記載の局側装置。
【請求項１４】
前記制御部が、
前記複数の加入者接続装置のそれぞれの識別子と対応して、該識別子で特定される加入者接続装置が使用する前記フレーム転送装置の出力ポートが輻輳中であるか否かを示す輻輳フラグを記憶し、
上記複数の加入者接続装置のうちの何れかの加入者接続装置の上記輻輳フラグが輻輳中であることを示している場合は、上記輻輳フラグが上記輻輳中であることを示している識別子に対応する加入者接続装置には、該加入者接続装置の使用するフレーム転送装置の出力ポートが輻輳中でない場合より前記上りフレーム送信帯域を少なく割り当て、上記輻輳フラグが上記輻輳中でないことを示している識別子に対応する加入者接続装置には、上記輻輳中を示す加入者接続装置が存在しない場合より前記上りフレーム送信帯域を多く割り当てることを特徴とする請求項１１に記載の局側装置。
【請求項１５】
前記フレーム転送装置から前記輻輳発生通知を受信した場合に上記輻輳発生通知に含まれる出力ポート番号によって特定される加入者接続装置の識別子と対応する上記輻輳フラグを輻輳中に切り替え、前記輻輳解除通知を受信した場合に、該輻輳解除通知に含まれる出力ポート番号によって特定される加入者接続装置の識別子の上記輻輳フラグを輻輳中でないことを示すフラグに変更することを特徴とする請求項１４に記載の局側装置。
【請求項１６】
前記輻輳状態である出力ポートを使用中であると特定された加入者接続装置に割り当てるべき固定帯域を記憶し、上記輻輳状態である出力ポートを使用中であると特定された加入者接続装置には該固定帯域を割り当てることを特徴とする請求項１０に記載の局側装置。
【請求項１７】
前記輻輳発生通知は、前記フレーム転送装置において特定の出力ポートの前記上りフレームの送信帯域が所定の閾値を超えた場合に、上記フレーム転送装置から通知されることを特徴とする請求項１１に記載の局側装置。
【請求項１８】
前記輻輳解除通知は、前記フレーム転送装置において特定された輻輳状態の出力ポートの前記上りフレームの送信帯域が前記所定の閾値以下となった場合に、上記フレーム転送装置から通知されることを特徴とする請求項１１に記載の局側装置。
【請求項１９】
前記制御部が、
前記下りフレーム生成部による下りフレームの生成周期よりも長い周期で、前記複数の加入者接続装置のそれぞれへの前記上りフレーム送信帯域の帯域割当量計算処理を行い、
前記特定された加入者接続装置以外の他の加入者接続装置には、前記上りフレーム送信帯域の上記帯域割当量計算処理の次回の帯域割当量計算処理時以降に、上記特定された加入者接続装置の使用する前記フレーム転送装置の出力ポートが輻輳状態でない場合よりも前記上りフレーム送信帯域を多く割り当てることを特徴とする請求項１２に記載の局側装置。
【請求項２０】
前記制御部が、
前記下りフレーム生成部による下りフレームの生成周期よりも長い周期で、前記複数の加入者接続装置のそれぞれへの前記上りフレーム送信帯域の帯域割当量計算処理を行い、
前記フレーム転送装置から前記輻輳解除通知を受信した場合に、前記対応関係に基づいて、該輻輳解除通知に含まれる出力ポート番号に対応する加入者接続装置の識別子を特定しておき、前記上りフレーム送信帯域の前記帯域割当量計算処理の次回の帯域割当量計算処理時に、上記特定された加入者接続装置の識別子と対応する前記輻輳フラグを輻輳中でないことを示すフラグに変更することを特徴とする請求項１４に記載の局側装置。